(57)【要約】      （修正有）【課題】ＣＤ等の挿入または排出操作により一律にコンテンツの出力状態が切り替わるようなことがなく、ユーザの意図を尊重した情報管理装置を提供する。 【解決手段】コンテンツを供給するメディアドライブ及び記憶装置２を含む複数のソースが接続され、何れかのソースを選択してコンテンツを出力する出力モード管理部６１と、メディアドライブにセットされたメディアからコンテンツを読み出して記憶装置２にライブラリとして記憶するリッピング処理部６２を備え、リッピング処理部６２の作動時に記憶装置２が選択されて所定のコンテンツが再生出力されるように構成されている情報管理装置６であって、出力モード管理部６１は、リッピング処理部６２によるリッピング処理の作動時または終了後にメディアがメディアドライブから取り出されたときに、コンテンツの出力状態に基づいてソースの選択状態を切り替えるソース切替部６１１を備える。【選択図】図１
2008198315.tif 000002
【特許請求の範囲】
【請求項１】
コンテンツを供給するメディアドライブ及び記憶装置を含む複数のソースが接続され、何れかのソースを選択してコンテンツを出力する出力モード管理部と、前記メディアドライブにセットされたメディアからコンテンツを読み出して前記記憶装置にライブラリとして記憶するリッピング処理部を備え、前記出力モード管理部は、前記リッピング処理部の作動時に前記記憶装置を選択して所定のコンテンツが再生出力されるように構成されている情報管理装置であって、
前記出力モード管理部は、前記リッピング処理部によるリッピング処理の作動時または終了後であって、メディアが前記メディアドライブから取り出されたときに、コンテンツの出力状態に基づいてソースの選択状態を切り替えるソース切替部を備えている情報管理装置。
【請求項２】
前記ソース切替部は、コンテンツの再生出力が終了したときにソースの選択状態を切り替える請求項１記載の情報管理装置。
【請求項３】
前記ソース切替部は、コンテンツの再生出力が終了したときにソースの選択設定表示を行ない、設定されたソースを選択する請求項２記載の情報管理装置。
【請求項４】
前記ソース切替部は、コンテンツが再生出力中のときソースの選択状態を維持する請求項１から３の何れかに記載の情報管理装置。
【請求項５】
再生出力中のコンテンツをフェードアウトする出力制御部を備えている請求項４記載の情報管理装置。
【請求項６】
コンテンツ属性情報に基づいて再生出力中のコンテンツに関連するコンテンツを次に再生出力するコンテンツとして前記ライブラリから選択するコンテンツ選択部を備えている請求項４記載の情報管理装置。
【請求項７】
前記リッピング処理部は、再生出力されるコンテンツの終了予測時刻に基づいてリッピング速度を切り替えるように構成されている請求項１から７の何れかに記載の情報管理装置。
【請求項８】
前記リッピング処理部によるリッピング処理の終了予測時刻に基づいて、前記ライブラリまたは前記メディアに記憶されたコンテンツから再生出力すべきコンテンツを選択するコンテンツ選択部を備えている請求項１から７の何れかに記載の情報管理装置。
【請求項９】
前記出力モード管理部は、再生出力されるコンテンツの終了予測時刻が前記リッピング処理部によるリッピング処理の終了予測時刻よりも遅延するときに、リッピング処理の前のソース選択状態を維持する請求項１から８の何れかに記載の情報管理装置。
【請求項１０】
請求項１から９の何れかに記載の情報管理装置が車載情報管理装置であり、前記リッピング処理部にリッピング処理の終了時にリッピング終了メッセージを出力する報知部を備えるとともに、前記報知部は車両の走行時にリッピング終了メッセージを出力しないように構成されている車載情報管理装置。
【発明の詳細な説明】
【技術分野】
【０００１】
本発明は、コンテンツを供給するメディアドライブ及び記憶装置を含む複数のソースが接続され、何れかのソースを選択してコンテンツを出力する出力モード管理部と、前記メディアドライブにセットされたメディアからコンテンツを読み出して前記記憶装置にライブラリとして記憶するリッピング処理部を備え、前記出力モード管理部は、前記リッピング処理部の作動時に前記記憶装置を選択して所定のコンテンツが再生出力されるように構成されている情報管理装置に関する。
【背景技術】
【０００２】
メディアドライブにセットされたメディアからコンテンツを読み出して前記記憶装置にライブラリとして記憶するリッピング処理部を備えたオーディオ装置では、ユーザがＣＤドライブにセットしたオーディオＣＤに記憶されたコンテンツである楽曲データを再生処理しながら、同時にＭＰ３やＡｔｒａｃ３等方式で圧縮してハードディスクにリッピング処理するオーディオ装置が提案されている。
【０００３】
そのようなオーディオ装置として、特許文献１には、オーディオＣＤがセットされるＣＤドライブと、オーディオデータをバッファする第１および第２のバッファメモリと、再生されたオーディオデータが出力されるオーディオ出力手段と、オーディオデータを蓄積記憶する大容量記憶手段と、前記オーディオＣＤからオーディオデータを読み出して第１のバッファメモリに記憶するとともに、これを大容量記憶手段の書込速度で読み出して大容量記憶手段に出力する抽出動作、および、前記オーディオＣＤからオーディオデータを読み出して第２のバッファメモリに記憶するとともに、これをオーディオデータ再生レートで読み出してオーディオ出力手段から出力する再生動作を並行して繰り返し行う制御手段とを備えたディジタルオーディオ録音装置が開示されている。
【０００４】
ハードディスクに数倍速でリッピング処理されるオーディオ装置では、そのまま再生したのでは音楽を聴くことができないため、実際にはリッピング処理されたハードディスクの楽曲データを読み出して再生するように構成された装置もある。
【０００５】
そして、そのようなオーディオ装置では、楽曲の再生モードをユーザが選択操作する操作部に加えて、オーディオＣＤのＣＤドライブへの挿入によりＣＤ再生モードに自動的に切り替え、ＣＤドライブからオーディオＣＤが排出されると強制的にＣＤ再生モードからＣＤを挿入する前のモードに切り替えるモード切替部が設けられている。
【特許文献１】特開２００２−２０３３６１号公報
【発明の開示】
【発明が解決しようとする課題】
【０００６】
しかし、リッピング処理部が設けられたオーディオ装置では、ユーザによるオーディオＣＤのＣＤドライブへの挿入操作がそのままＣＤの再生を求めるものとは限らず、現状のソースから供給されるコンテンツを聴きながらリッピング処理のみ希望する場合や、オーディオＣＤのＣＤドライブからの排出操作がそのままＣＤ再生の停止を求めるものとは限らず、再生の継続を希望しながらリッピング処理が終了したオーディオＣＤを取り出す場合等、多様な状況が想定される。
【０００７】
従来のオーディオ装置では、上述したように、オーディオＣＤのＣＤドライブへの挿入または排出操作により自動的にモードを切り替えるように構成されていたので、このようなユーザの意図に沿った自由度の高い出力モードの選択ができなかったため、その度に操作部を操作しなければならず、ユーザにストレスがかかるという問題があった。
【０００８】
本発明の目的は、上述の従来の問題に鑑み、ＣＤ等の挿入または排出操作により一律にコンテンツの出力状態が切り替わるようなことがなく、ユーザの意図を尊重した情報管理装置を提供する点にある。
【課題を解決するための手段】
【０００９】
上述の目的を達成するため、本発明による情報管理装置の特徴構成は、コンテンツを供給するメディアドライブ及び記憶装置を含む複数のソースが接続され、何れかのソースを選択してコンテンツを出力する出力モード管理部と、前記メディアドライブにセットされたメディアからコンテンツを読み出して前記記憶装置にライブラリとして記憶するリッピング処理部を備え、前記出力モード管理部は、前記リッピング処理部の作動時に前記記憶装置を選択して所定のコンテンツが再生出力されるように構成されている情報管理装置であって、前記出力モード管理部は、前記リッピング処理部によるリッピング処理の作動時または終了後であって、メディアが前記メディアドライブから取り出されたときに、コンテンツの出力状態に基づいてソースの選択状態を切り替えるソース切替部を備えている点にある。
【００１０】
上述の構成によれば、ソース切替部は、メディアが取り出されたときに、例えば、コンテンツが再生出力中ならその再生を停止させず、コンテンツが再生終了したなら別のソースを再生させるといったように、コンテンツの出力状態によって再生するソースを選択する。
【発明の効果】
【００１１】
以上説明した通り、本発明によれば、ＣＤ等の挿入または排出操作により一律にコンテンツの出力状態が切り替わるようなことがなく、ユーザの意図を尊重した情報管理装置を提供することができるようになった。
【発明を実施するための最良の形態】
【００１２】
以下に、本発明による情報管理装置の一例である車載情報管理装置について説明する。
【００１３】
音声や画像等を取り込んで記録再生する車載情報管理装置としての車載オーディオ装置は、図１に示すように、信号処理部１、記憶装置２、音声処理部４１、スピーカー４２、画像処理部４３、表示部４４、操作部５、及び情報管理部６等の機能ブロックを備えて構成されている。
【００１４】
前記信号処理部１は、図２に示すように、ソース信号選択部１１、録音バッファ１２、再生バッファ１３、エンコーダ１４、及びデコーダ１５を備えて構成されている。
【００１５】
前記ソース信号選択部１１は、ＣＤを再生するＣＤプレーヤー１１０、ＤＶＤを再生するＤＶＤプレーヤー１２０、ラジオ放送（ＡＭ放送、ＦＭ放送）を受信するラジオ受信部１３０、テレビ放送を受信するテレビ受信部１４０、車両を目的地に誘導するナビゲーション装置１５０、及び音声データや画像データが記憶されている前記記憶装置２等から受け取った音声データ又は画像データよりなるコンテンツを少なくとも一つ選択するスイッチング回路として構成されている。
【００１６】
選択されたコンテンツは、以下で説明する録音バッファ１２及び／又は再生バッファ１３に出力される。スイッチの切替としては、例えば、前記ＣＤプレーヤー１１０からのコンテンツが前記録音バッファ１２に出力され前記記憶装置２からのコンテンツが再生バッファ１３に出力される切替や、前記ＣＤプレーヤー１１０からのコンテンツが録音バッファ１２と再生バッファ１３に出力される切替等がある。
【００１７】
前記録音バッファ１２は、前記ＣＤプレーヤー１１０、前記ＤＶＤプレーヤー１２０、前記ラジオ受信部１３０、前記テレビ受信部１４０、又は前記ナビゲーション装置１５０から前記ソース信号選択部１１を介して入力してきたコンテンツを前記記憶装置２に書き込む前に一時的に格納しておくバッファメモリとして構成されている。
【００１８】
前記再生バッファ１３は、前記ＣＤプレーヤー１１０、前記ＤＶＤプレーヤー１２０、前記ラジオ受信部１３０、前記テレビ受信部１４０、前記ナビゲーション装置１５０、又は前記記憶装置２から前記ソース信号選択部１１を介して前記音声処理部４１または前記画像処理部４３に出力するコンテンツを一時的に格納しておくバッファメモリとして構成されている。
【００１９】
前記エンコーダ１４は、前記録音バッファ１２に格納されたコンテンツの圧縮処理を行なうための手順が集積回路にて構成されており、前記デコーダ１５は、前記再生バッファ１３に格納されたコンテンツの伸張処理を行なうための手順が集積回路にて構成されている。
【００２０】
なお、前記記憶装置２から読み出されたコンテンツ及び前記ソース信号選択部１１を介して入力してきたコンテンツのうち、音声データは前記音声処理部４１に出力され、画像データは前記画像処理部４３に出力されるが、この出力先の決定する制御処理は後述する制御部によって行なわれる。
【００２１】
前記記憶装置２は、大容量のデータの格納が可能なハードディスク等の記憶媒体で構成されており、前記信号処理部１から入力してきたコンテンツを格納する。
【００２２】
以下、前記記憶装置２に格納されているデータについて詳述する。前記記憶装置２の記憶領域は、図３に示すように、前記ＣＤプレーヤー１１０または前記ＤＶＤプレーヤー１２０等から入力してきたコンテンツのうちの音声データが楽曲毎に格納される音声データ領域２１と、前記ナビゲーション装置１５０等から入力してきたコンテンツのうちの画像データが格納される画像データ領域２２と、コンテンツに関する情報であるコンテンツ属性情報が格納されるコンテンツ属性情報領域２３と、メディアに関する情報と前記コンテンツ属性情報との関連付け情報であるコンテンツ特定情報が格納されるコンテンツ特定情報領域２４等の複数の記憶領域より構成されている。
【００２３】
前記コンテンツ属性情報は、当該コンテンツが格納されている前記記憶装置２上の先頭アドレスを示すアドレス情報、曲名、アーティスト名、演奏時間、当該コンテンツが収録されているアルバム名、前記アルバムのジャンル等の情報で構成されている。
【００２４】
前記コンテンツ特定情報は、各アルバムについてのＴＯＣ(Table of contents)情報と、各アルバムに収録されているコンテンツの収録番号と、前記収録番号の各々に対応するコンテンツ属性情報とが、アルバム毎にデータベースとして構成されている。
【００２５】
以上より、前記音声データ領域２１及び前記画像データ領域２２に格納されているコンテンツのコンテンツ属性情報は、前記コンテンツ属性情報領域２３に格納されているコンテンツ属性情報によって得られ、メディアに収録されている各コンテンツについてのコンテンツ属性情報は、当該コンテンツの収録番号および当該メディアに記憶されているＴＯＣ情報と、前記コンテンツ特定情報領域２４に記憶されているコンテンツ特定情報とを比較することによって得られる。
【００２６】
なお、前記コンテンツ特定情報領域２４には、前記車載オーディオ装置の出荷時に多数（例えば３万曲）のコンテンツ特定情報が格納されているが、出荷時に格納されていない楽曲についてのコンテンツ特定情報を前記コンテンツ特定情報領域２４に追加する方法としては、前記ラジオ受信部１３０より受信されるＦＭ放送等に重畳されたデータとして取り込む方法や、インターネットを介して取り込む方法等がある。
【００２７】
前記音声処理部４１は、音声データにデジタル演算処理を施すＤＳＰ等のデジタル信号処理回路等で構成されており、前記ＣＤプレーヤー１１０、前記ＤＶＤプレーヤー１２０、前記ラジオ受信部１３０、又は前記記憶装置２等から前記信号処理部１を介して出力された音声データについて、音質や音量等の調整を行ないＤ／Ａ変換した後に増幅器によって増幅して、前記スピーカー４２に出力する。
【００２８】
前記スピーカー４２は、前記音声処理部４１から出力された音声データを音声として出力する。
【００２９】
前記画像処理部４３は、画像データにデジタル演算処理を施すＤＳＰ等の画像処理回路と、前記画像データが格納されるビデオメモリ（ＶＲＡＭ）等で構成されており、前記ナビゲーション装置１５０等から前記信号処理部１を介して出力された画像データについて、色調やコントラスト等の調整を行ない、調整後の画像データを前記表示部４４に出力する。
【００３０】
前記表示部４４は、液晶タッチパネルで構成されており、前記液晶タッチパネルは、例えば、図４（ａ）に示すように、前記ナビゲーション装置１５０の表示画面として前記ナビゲーション装置１５０に設けられている。また、前記表示部４４の表示画面には、前記ナビゲーション装置１５０からの地図情報や複数のメニューキー５１等が表示されている。
【００３１】
前記操作部５は、前記メニューキー５１、及び、前記表示部４４の下段に配置された種々のスイッチ５２より構成されている。前記操作部５は、前記メニューキー５１または前記スイッチ５２が操作されたことを検出すると、検出した旨の情報を以下で説明する制御部へ送り、当該情報を受け取った制御部は当該情報に基づいて上述した各機能ブロックを制御する。
【００３２】
以下、前記情報管理部６について詳述する。前記情報管理部６は、上述した各機能ブロックを制御する制御部として構成されており、前記制御部は、制御プログラム等の格納のためのＲＯＭと、データ処理のために使用するワーキングエリアとしてのＲＡＭと、前記制御プログラムを演算実行するＣＰＵと、その他必要な周辺回路等を備え、前記ＣＰＵにより実行される制御プログラムによって、上述した各機能ブロックの所定の機能が実現されるように構成されている。
【００３３】
また、前記情報管理部６は、前記制御プログラムによって実現される所定の機能として、コンテンツを供給するメディアドライブ（前記ＣＤプレーヤー１１０及び前記ＤＶＤプレーヤー１２０）及び前記記憶装置２を含む複数のソース（前記ＣＤプレーヤー１１０、前記ＤＶＤプレーヤー１２０、前記ラジオ受信部１３０、前記テレビ受信部１４０、前記ナビゲーション装置１５０、及び前記記憶装置２）が接続され、何れかのソースを選択してコンテンツを出力する出力モード管理部６１と、前記メディアドライブにセットされたメディアからコンテンツを読み出して前記記憶装置２にライブラリとして記憶するリッピング処理部６２を備えて構成されている。
【００３４】
前記リッピング処理部６２は、何れかのメディアドライブから録音開始スイッチが操作された旨の信号を受け取ると、前記出力モード管理部６１にリッピングが開始された旨を知らせる信号（リッピング開始信号）を送るとともに、前記ソース信号選択部１１を制御して、録音が開始されたメディアドライブからのコンテンツ（本実施形態では音声データ）を前記録音バッファ１２に選択入力させて、前記エンコーダ１４にて前記音声データを圧縮させる。
【００３５】
次に、前記リッピング処理部６２は、前記記憶装置２を制御することによって、圧縮させた前記音声データを前記記憶装置２にライブラリとして記憶する。
【００３６】
ここで、ライブラリとして記憶するとは、前記リッピング処理部６２が、前記音声データのコンテンツ属性情報を前記コンテンツ属性情報領域２３に記憶し、前記音声データのうち前記コンテンツ属性情報以外のデータ情報を前記音声データ領域２１に記憶することで、前記コンテンツ属性情報領域２３のアドレス情報によって前記コンテンツ属性情報と前記データ情報とを関連付けられた情報として記憶することである。
【００３７】
前記出力モード管理部６１は、前記リッピング処理部６２の作動時に前記記憶装置２を選択して所定の音声データが再生出力されるように構成されており、例えば、前記リッピング処理部６２からリッピング開始信号を受け取ると、前記ソース信号選択部１１を制御して、前記記憶装置２からの音声データを前記再生バッファ１２に入力させて前記音声処理部４１に出力させる。
【００３８】
また、前記出力モード管理部６１は、前記リッピング処理部６２によるリッピング処理の作動時または終了後であって、メディアが前記メディアドライブから取り出されたときに、コンテンツの出力状態に基づいてソースの選択状態を切り替えるソース切替部６１１を備えて構成されている。
【００３９】
以下に詳述する。前記出力モード管理部６１は、前記リッピング処理部６２からリッピング開始信号を受け取った後、または、前記リッピング処理部６２からリッピングが終了した旨を知らせる信号（リッピング終了信号）を受け取った後に、前記リッピング処理部６２によるリッピング処理の対象であったメディアドライブからメディア排出スイッチが操作された旨の信号を受け取ると、前記ソース切替部６１１に前記ソース信号選択部１１を制御させてソースの選択状態を切り替えさせる。
【００４０】
前記ソース切替部６１１は、前記出力モード管理部６１からソース選択状態を切り替える旨の命令を受け取ると、命令を受け取った時点でのコンテンツ（音声データ）の出力状態によって、何れのソースからの音声データを前記音声処理部４１に出力させるかを決定する。
【００４１】
詳述すると、前記ソース切替部６１１は、コンテンツが再生出力中のときソースの選択状態を維持し、コンテンツの再生出力が終了したときにソースの選択状態を切り替える。
【００４２】
例えば、前記ソース切替部６１１は、前記出力モード管理部６１からソース選択状態を切り替える旨の命令を受け取った時点で、リッピング処理の開始時に前記出力モード管理部６１が前記音声処理部４１に出力させた前記記憶装置２からの音声データの再生が継続中であれば、前記ソース信号選択部１１を制御して前記記憶装置２からの音声データを前記音声処理部４１に継続して出力させ、前記記憶装置２からの音声データの再生が終了していれば、前記ソース信号選択部１１を制御して異なるソースからの音声データを前記音声処理部４１に自動的に出力させる。ここで、前記ソース切替部６１１は、異なるソースとして、例えば、リッピング処理が開始される前に選択されていたソースを、前記ソース信号選択部１１に選択させて前記音声処理部４１に出力させる。
【００４３】
上述の構成によれば、ソース切替部６１１が、コンテンツの出力状態に基づいて、つまり、メディアが取り出されたときに、コンテンツが再生出力中ならその再生を停止させず、コンテンツが再生終了したなら別のソースを再生させることで、コンテンツの再生の突然の中断や再生されるコンテンツの突然の切り替わりといったユーザに不快感を与える状態となることを防止することができる。
【００４４】
前記情報管理部６は、さらに、再生出力中のコンテンツをフェードアウトする出力制御部６３を備えて構成されている。
【００４５】
詳述すると、前記ソース切替部６１１は、前記出力モード管理部６１からソース選択状態を切り替える旨の命令を受け取った時点で、コンテンツが再生出力中のときはソースの選択状態を維持するが、このとき、前記出力制御部６３は、前記音声処理部４１を制御して選択されているソースの再生音量を徐々に小さくしつつ、再生音量が零になったときにソースの再生出力が終了するように前記信号処理部１及び前記記憶装置２を制御する、つまり、ソースの再生出力を強制的に終了させるのである。
【００４６】
上述の構成によれば、前記出力制御部６３によって、ユーザが聞く必要がなくなったコンテンツ、または、聞きたくなくなったコンテンツを迅速に終了させることができる。
【００４７】
前記情報管理部６は、さらに、前記リッピング処理部６２によるリッピング処理の終了予測時刻に基づいて、リッピング終了時にコンテンツの再生が終了するように前記ライブラリまたは前記メディアに記憶されたコンテンツから再生出力すべきコンテンツを選択するコンテンツ選択部６４を備えている。
【００４８】
詳述すると、前記コンテンツ選択部６４は、リッピング処理の開始時に、メディアに記憶されたコンテンツ（音声データ）のうち、未だ前記記憶装置２にライブラリとして記憶されていない音声データを、リッピング処理を実行する音声データとして選択し、選択した音声データをリッピングした場合のリッピング合計時間を算出する。
【００４９】
そして、前記コンテンツ選択部６４は、既に前記記憶装置２にライブラリとして記憶されている音声データの中から、再生する音声データを選択する。このとき、前記コンテンツ選択部６４は、選択される音声データの合計再生時間が前記リッピング合計時間と一致するように、音声データを選択する。
【００５０】
そして、前記出力モード管理部６１は、前記コンテンツ選択部６４によって選択された音声データを再生出力する。なお、本実施形態の場合、前記コンテンツ選択部６４が、前記合計再生時間と前記リッピング合計時間とが一致するような音声データを選択することができない場合、前記出力モード管理部６１は、リッピング処理を実行するメディアを一曲目から順番に再生出力する。
【００５１】
以下、図５に示すように、前記リッピング処理部６２が、メディアに記憶されたＭ１〜Ｍ４よりなる四曲の音声データを、Ｍ１、Ｍ４、及びＭ５〜Ｍ８の六曲の音声データが記憶された前記記憶装置２に２倍速でリッピングする場合における、前記コンテンツ選択部６４による音声データの選択について説明する。
【００５２】
まず、前記コンテンツ選択部６４は、リッピング合計時間を算出する。音声データＭ１とＭ４は、図中破線で示すように、既に前記記憶装置２に記憶されているので、音声データＭ２とＭ３がリッピングされる。リッピングは２倍速で実行されるので、音声データＭ２とＭ３がリッピングされる場合のリッピング合計時間は６分である。
【００５３】
次に、前記コンテンツ選択部６４は、前記記憶装置２に記憶されている音声データ（Ｍ３〜Ｍ６、Ｍ１、Ｍ４）の中から再生する音声データを、その合計再生時間が前記リッピング合計時間（６分）と一致するように選択する。合計再生時間が６分となるような組み合わせは以下のとおりである。即ち、一曲目がＭ１で二曲目Ｍ２を再生、一曲目がＭ２で二曲目がＭ１を再生、一曲目がＭ２で二曲目がＭ５を再生、一曲目がＭ５で二曲目がＭ２を再生、Ｍ７のみ再生の何れかである。前記コンテンツ選択部６４は、所定の条件に基づいて、上記の何れの組み合わせを選択するかを決定する。前記所定の条件としては、例えば、リッピング開始時に既に前記記憶装置２に記憶されている音声データを優先的に選択する、再生時間が短い音声データを優先的に選択する、再生する曲数が少なくなるように音声データを選択する等がある。
【００５４】
前記出力モード管理部６１は、前記コンテンツ選択部６４によって選択された音声データを再生出力する。このとき、前記出力モード管理部６１は、音声データＭ２を再生する場合は、メディアから前記記憶装置２にリッピングしながら、リッピングされて前記記憶装置２に記憶されている音声データを再生出力する。
【００５５】
上述の構成によれば、コンテンツ選択部６４が、リッピング終了時にコンテンツの再生が終了するようにコンテンツを選択するので、リッピング終了がコンテンツ再生終了より早い場合に生じるリッピング処理の待機状態や、遅い場合に生じる次の再生開始までの何れのコンテンツも再生されてない状態を防止できる。
【００５６】
前記情報管理部６は、さらに、前記リッピング処理部６２にリッピング処理の終了時にリッピング終了メッセージを出力する報知部６５を備えるとともに、前記報知部６５は車両の走行時にリッピング終了メッセージを出力しないように構成されている。
【００５７】
詳述すると、前記報知部６５は、前記リッピング処理部６２よりリッピング処理が終了した旨の信号を受け取ると、車両の走行状態を判断して、車両が停止中である場合は前記リッピング処理部６２に対して終了メッセージを出力し、車両が走行中である場合は前記リッピング処理部６２に対して終了メッセージを出力しない。前記リッピング処理部６２は、前記報知部６５より受け取った前記終了メッセージを図４（ｂ）に示すように、前記表示部４４に出力する。
【００５８】
ここで、車両の走行状態は、例えば、前記報知部６５が、車両の速度メーターの値を取り込んで、その値が零であるか否かで車両が走行中であるか否か判断する。
【００５９】
なお、前記リッピング処理部６２による、前記報知部６５より受けとった終了メッセージの出力先は前記表示部４４に限らず、例えば、前記音声処理部４１を介して前記スピーカー４２に音声メッセージとして出力する構成であってもよい。
【００６０】
車両の運転中はオーディオ装置を頻繁に操作することは危険が伴うので、本発明に係る状態管理装置を車載情報管理装置として車両に適用することは好適な適用例となる。
【００６１】
また、報知部６５が車両走行時にリッピング終了メッセージを出力しないので、車両の運転者の意識が車両運転中にオーディオ装置に向けられることによる事故確率の上昇を防止することができる。
【００６２】
以下、情報管理部６による音声データのリッピング処理について、図６に示すフローチャートに基づいて説明する。
【００６３】
リッピング処理部６２は、リッピングされるメディアが投入された旨の信号を受け取ると（ＳＡ１）、投入されたメディアのＴＯＣ情報と、前記記憶装置２に格納されているコンテンツ特定情報およびコンテンツ属性情報とを比較することにより、投入されたメディアに含まれる各楽曲、つまり音声データが既に記憶装置２に記憶されているか否かを判断する（ＳＡ２）。
【００６４】
ステップＳＡ２において、当該メディアに含まれる全ての音声データが、既に前記記憶装置２に記憶されていると前記リッピング処理部６２によって判断された場合は、出力モード管理部６１によって当該メディアの再生が開始される（ＳＡ３）。ここで、メディアの再生とは、当該メディアからのデータの再生であっても、前記記憶装置２に記憶されている当該メディアの音声データと同一の音声データについてのデータの再生であってもよい。なお、前記情報管理部６は、当該メディアを再生する代わりに、当該メディアを投入する前のソースの選択状態を維持する構成であってもよい。
【００６５】
一方、ステップＳＡ２において、当該メディアに含まれる音声データのうち少なくとも一曲が、未だ前記記憶装置２に記憶されていないと前記リッピング処理部６２によって判断された場合は、コンテンツ選択部６４が、前記リッピング処理部６２によるリッピング処理中に再生出力すべき音声データを選択する（ＳＡ４）。
【００６６】
ステップＳＡ４において、前記コンテンツ選択部６４が、選択される音声データの合計再生時間がリッピング処理の合計時間と一致するように音声データを選択することができない場合は、前記コンテンツ選択部６４は、投入メディアの全コンテンツについて収録番号が一番目のコンテンツから順番に再生することを選択し（ＳＡ５）、前記出力モード管理部６１は選択されたコンテンツの再生を開始し、前記リッピング処理部６２はリッピング処理を開始する（ＳＡ６）。
【００６７】
一方、ステップＳＡ４において、前記コンテンツ選択部６４が、選択される音声データの合計再生時間がリッピング処理の合計時間と一致するように音声データを選択することができた場合は（ＳＡ７）、前記出力モード管理部６１は選択されたコンテンツを選択された順序で再生出力を開始し、前記リッピング処理部６２はリッピング処理を開始する（ＳＡ８）。
【００６８】
前記リッピング処理部６２によるリッピング処理が終了すると（ＳＡ９、ＳＡ１０）、報知部６５が車両の走行状態を判断して（ＳＡ１１）、走行中でない場合に終了メッセージを出力する（ＳＡ１２）。
【００６９】
以後、メディアが排出されるまでに（ＳＡ１３）、車両が停止した場合は、前記報知部６５によって終了メッセージが出力される（ＳＡ１２）。
【００７０】
そして、メディアが排出された時点で（ＳＡ１３）、前記出力モード管理部６１による再生出力が終了している場合は（ＳＡ１４）、ソース切替部６１１がソースの選択状態を自動的に切り替え（ＳＡ１５），前記出力モード管理部６１による再生出力が終了していない場合は（ＳＡ１４）、前記ソース切替部６１１がソースの選択状態を維持しつつ（ＳＡ１６）、出力制御部６３が維持されたソースによる再生をフェードアウトさせて再生を停止させる（ＳＡ１７）。
【００７１】
以下、別実施形態について説明する。上述の実施形態では、ソース切替部６１１は、コンテンツの再生出力が終了したときにソースの選択状態を自動的に切り替える構成について説明したが、前記ソース切替部６１１は、コンテンツの再生出力が終了したときにソースの選択設定表示を行ない、設定されたソースを選択する構成であってもよい。
【００７２】
詳述すると、ソース切替部６１１は、コンテンツの再生出力が終了したときに（図６におけるＳＡ１４）、自動的にソースの選択状態を切り替える代わりに、図７（ａ）に示すようなソース選択設定画面を表示部４４に表示させて、車両の運転者等に次に再生出力させるソースを選択させ、これによってユーザが希望するソースを選択することができる。なお、図中、ＣＤとＤＶＤのソースが破線表示であるのは、これらのソースにメディアが投入されていないため選択不可能であることを示しており、メディアが投入された時点で選択可能となる。
【００７３】
上述の実施形態では、情報管理部６は出力制御部６３を備えており、前記出力制御部６３は再生出力中のコンテンツをフェードアウトする構成について説明したが、前記情報管理部６は、コンテンツ属性情報に基づいて再生出力中のコンテンツに関連するコンテンツを次に再生出力するコンテンツとして前記ライブラリから選択するコンテンツ選択部６４を備えた構成であってもよい。つまり、上述の実施形態で説明したコンテンツ選択部６４は、上述の実施形態で説明したリッピング処理の終了予測時刻に基づいてコンテンツを選択する機能に加えて、本機能を有することになる。
【００７４】
詳述すると、ソース切替部６１１は、メディアが排出された時点でコンテンツが再生出力中のときはソースの選択状態を維持するが（図６におけるステップＳＡ１６）、このとき、前記コンテンツ選択部６４は、記憶装置２のコンテンツ属性情報領域２３にアクセスして、再生出力中のコンテンツのコンテンツ属性情報を参照した上で、参照したコンテンツ属性情報に関連するコンテンツ属性情報を有しているコンテンツを検出する。
【００７５】
ここで、関連するコンテンツ属性情報とは、複数のコンテンツ属性情報において、それらの構成要素であるアーティスト名、アルバム名、及びジャンル等のうち少なくとも一つが同一である当該複数のコンテンツ属性情報のことである。
【００７６】
そして、前記コンテンツ選択部６４は、検出したコンテンツのうち、最も関連性の高いコンテンツ属性情報、つまり、再生出力中のコンテンツのコンテンツ属性情報と同一の構成要素の数が最も多いコンテンツ属性情報を有するコンテンツを、次に再生出力するコンテンツとして前記ライブラリから選択して、再生出力中のコンテンツが終了したときに自動的に再生出力させる。
【００７７】
また、前記コンテンツ選択部６４は、検出したコンテンツのうち、最も関連性の高いコンテンツ属性情報を有するコンテンツを、再生出力中のコンテンツが終了したときに自動的に再生出力させる代わりに、図７（ｂ）に示すように、検出したコンテンツを一覧表形式で表示させて、車両の運転者等に次に再生出力させるコンテンツを選択させる構成であってもよい。なお、図７（ｂ）では、車両の運転者等が選択スイッチ６４１を操作すると、操作した選択スイッチ６４１の右側に示されているコンテンツが次に再生出力される。
【００７８】
上述の構成によれば、次に再生されるコンテンツとして、ユーザが聞きたいコンテンツ、または、聞きたいであろうコンテンツを選択することができる。
【００７９】
上述の実施形態では、情報管理部６は、前記リッピング処理部６２によるリッピング処理の終了予測時刻に基づいて、リッピング終了時にコンテンツの再生が終了するように前記ライブラリまたは前記メディアに記憶されたコンテンツから再生出力すべきコンテンツを選択するコンテンツ選択部６４を備えている構成について説明したが、前記情報管理部６における前記リッピング処理部６２は、再生出力されるコンテンツの終了予測時刻に基づいてリッピング速度を切り替えるような構成であってもよい。
【００８０】
以下に詳述する。なお、以下の説明では、リッピング開始と同時に投入メディアの一曲目が再生出力される構成、つまり前記コンテンツ選択部６４が再生出力すべきコンテンツを選択しない構成であるものとする。
【００８１】
前記リッピング処理部６２は、メディアに記憶されたコンテンツ（音声データ）のうち、未だ記憶装置２にライブラリとして記憶されていない音声データを、リッピング処理を実行する音声データとして選択する。
【００８２】
そして、前記リッピング処理部６２は、投入メディアの一曲目が終了するまでの時間を終了予測時刻として、リッピング処理に要する合計時間が前記終了予測時刻と一致するようにリッピング速度を切り替える。
【００８３】
例えば、図８に示すように、前記車載オーディオ装置が、メディアに記憶されたＭ１１〜Ｍ１４よりなる四曲の音声データを、記憶装置２にリッピングする場合について以下に説明する。
【００８４】
まず、前記リッピング処理部６２は、リッピング処理を実行する音声データを選択する。音声データＭ１２は、図中破線で示すように、既に前記記憶装置２に記憶されているので、音声データＭ１１、Ｍ１３、及びＭ１４がリッピングされる音声データとして選択される。
【００８５】
そして、前記リッピング処理部６２は、終了予測時刻をメディアの一曲目、つまり音声データＭ１１の演奏時間である４分として、リッピング合計時間が４分となるように、リッピング速度を切り替える。具体的には、等倍速でリッピング処理を実行した場合のリッピング合計時間が１６分であることから、２倍速の場合のリッピング合計時間が８分、４倍速の場合のリッピング合計時間が４分となる。つまり、前記リッピング処理部６２はリッピング速度を４倍速に切り替える。
【００８６】
上述した実施形態、即ち、前記コンテンツ選択部６４がリッピング終了時にコンテンツの再生が終了するように前記ライブラリまたは前記メディアに記憶されたコンテンツから再生出力すべきコンテンツを選択する構成と同様に、上述の構成によれば、リッピング終了がコンテンツ再生終了より早い場合に必要となる待機処理や、遅い場合に生じる次の再生開始までの何れのコンテンツも再生されてない状態を防止できる。
【００８７】
なお、情報管理部６は、前記コンテンツ選択部６４がリッピング終了時にコンテンツの再生が終了するように前記ライブラリまたは前記メディアに記憶されたコンテンツから再生出力すべきコンテンツを選択する構成と、前記リッピング処理部６２がリッピング終了時にコンテンツの再生が終了するようにリッピング速度を切り替える構成を組み合わせた構成であってもよい。
【００８８】
つまり、前記コンテンツ選択部６４は、選択される音声データの合計再生時間が、前記リッピング処理部６２によって切り替えられたリッピング速度でのリッピング合計時間と一致するように、音声データを選択する。
【００８９】
上述の実施形態では、情報管理部６は、前記リッピング処理部６２によるリッピング処理の終了予測時刻に基づいて、リッピング終了時にコンテンツの再生が終了するように前記ライブラリまたは前記メディアに記憶されたコンテンツから再生出力すべきコンテンツを選択するコンテンツ選択部６４を備えている構成について説明したが、前記情報管理部６における前記出力モード管理部６１は、再生出力されるコンテンツの終了予測時刻が前記リッピング処理部６２によるリッピング処理の終了予測時刻よりも遅延するときに、リッピング処理の前のソース選択状態を維持するような構成であってもよい。
【００９０】
以下に詳述する。例えば、上述した実施形態では、コンテンツ選択部６４が、合計再生時間とリッピング合計時間とが一致するような音声データを選択することができない場合に、出力モード管理部６１は、リッピング処理を実行するメディアを一曲目から順番に再生出力するが、このような場合は、メディアの全曲が一曲目から再生されること、及び、再生出力よりもリッピング処理の方が速いことから、再生出力されるコンテンツの終了予測時刻が前記リッピング処理部６２によるリッピング処理の終了予測時刻よりも遅延する。
【００９１】
上述のような場合に、前記出力モード管理部６１は、メディアに記憶された音声データや記憶手段２に記憶された音声データを再生する代わりに、リッピング処理を開始する前に選択されていたソースから入力されるコンテンツを音声処理部４１に出力するのである。なお、リッピング処理を開始する前に選択されていたソースが、メディアドライブや前記記憶手段２である場合は、これらのソースから入力されるコンテンツが音声処理部４１に出力されることは言うまでもない。
【００９２】
上述の構成によれば、出力モード管理部６１が、リッピング終了がコンテンツ再生終了より早い場合に、リッピング処理前のソースのコンテンツをバックグラウンドで再生させるので、リッピング処理が終了した場合にコンテンツ再生が途切れることを防止することができる。
【００９３】
また、リッピング処理中にリッピング処理前のソースのコンテンツの再生させることは、メディア投入の目的がコンテンツを聞くことではなくリッピングのためである場合、ユーザが最も聞きたいのはリッピング処理前に選択されているソースである可能性が高いので、好適な選択である。
【００９４】
上述の実施形態では、情報管理装置６において、ソース切替部６１１が、コンテンツの再生出力が終了したときに（図６におけるＳＡ１４）、図７（ａ）に示すようなソース選択設定画面を表示部４４に表示させて、車両の運転者等に次に再生出力させるソースを選択させる構成、及び、コンテンツ選択部６４が、前記ソース切替部６１１によってソース選択状態が維持された場合に（図６におけるステップＳＡ１６）、関連性の高いコンテンツ属性情報を有するコンテンツを検出し、図７（ｂ）に示すように、検出したコンテンツを一覧表形式で表示させて、車両の運転者等に次に再生出力させるコンテンツを選択させる構成について説明したが、前記情報管理装置６は以下に示すような車両の運転者等の操作特性を記憶させる自動選択部を備えた構成であってもよい。
【００９５】
つまり、情報管理装置６は、リッピング処理部によるリッピング処理の終了後であって、メディアがメディアドライブから取り出されたときに、ソース切替部６１１またはコンテンツ選択部６４の指示に基づいて操作された選択操作内容を記憶し、前記情報管理装置６の次回起動以降の動作時に当該操作内容に沿った動作を実行させる自動選択部を備えた構成であってもよい。
【００９６】
上述の実施形態におけるステップＳＡ１５でソースの選択状態を切り替えるとき、または、リッピング処理を開始する前に選択されていたソースに戻すとき、切り替え先のソースがラジオ受信部１３０またはテレビ受信部１４０であって、その受信状態が悪い場合、出力モード管理部６１が受信チャンネルを変更する構成であってもよい。
【００９７】
上述の実施形態では、コンテンツとして音声データをリッピングする構成について説明したが、記憶装置２にリッピングするのは音声データに限らず、例えば、画像データであってもよい。
【００９８】
上述の実施形態では、情報管理装置を車載情報管理装置として車両に搭載された車載オーディオ装置に適用した構成について説明したが、前記情報管理装置を適用するのは車載オーディオ装置に限らず、据え置き型、携帯型、又は車両以外の他の乗物（電車、船舶、飛行機等）に搭載されたオーディオ装置に適用した構成であってもよい。
【００９９】
上述した実施形態は、本発明を実現する一実施例を説明するものであり、各部の具体的な回路構成は、本発明の作用効果を奏する限りにおいて、構築するシステムに応じて適宜変更設計することが可能である。
【図面の簡単な説明】
【０１００】
【図１】本発明に係る情報管理装置を備えた車載オーディオ装置のブロック構成図
【図２】信号処理部のブロック構成図
【図３】記憶装置の記憶内容についての説明図
【図４】（ａ）は、表示部と操作部を示し、（ｂ）は、終了メッセージの表示を示した説明図
【図５】コンテンツ選択部による音声データの選択についての説明図
【図６】情報管理部６によるリッピング処理について説明するためのフローチャート
【図７】（ａ）は、ソース選択設定画面を示し、（ｂ）は、コンテンツ選択部による検出コンテンツを一覧表形式で表示させた画面を示した説明図
【図８】リッピング処理部によるリッピング速度切替についての説明図
【符号の説明】
【０１０１】
２：記憶装置
６：情報管理装置
６１：出力モード管理部
６１１：ソース切替部
６２：リッピング処理部
６３：出力制御部
６４：コンテンツ選択部
６５：報知部
【図１】
2008198315.tif 000003
【図２】
2008198315.tif 000004
【図３】
2008198315.tif 000005
【図４】
2008198315.tif 000006
【図５】
2008198315.tif 000007
【図６】
2008198315.tif 000008
【図７】
2008198315.tif 000009
【図８】
2008198315.tif 000010